(57)【要約】【課題】データ記録再生装置からデータの読み出し時に非同期転送方式でデータを転送する際、同じパケットに同期転送で別のデータを同時に転送することができるデータ記録再生装置及び記録媒体を提供する。【解決手段】非同期転送データと、同期転送データを同時に送る転送方式を介してホストと接続されているデータ記録再生装置であって、データ記録再生装置で記録再生するメディアは、メディア上に非同期転送データ１１と、同期転送データ１０等が同じデータブロックに格納されており、データの記録再生時には非同期データ１１と、同期転送データ１０等を同時に使用してデータの転送を行うように設けられた構成であることを特徴とする。【選択図】        図４
2004259419.tif 000002
【特許請求の範囲】
【請求項１】
非同期転送データと、同期転送データを同時に送る転送方式を介してホストと接続されているデータ記録再生装置であって、データ記録再生装置で記録再生するメディアは、メディア上に非同期転送データ（１１）と、同期転送データ（１０）等が同じデータブロックに格納されており、データの記録再生時には非同期データ（１１）と、同期転送データ（１０）等を同時に使用してデータの転送を行うように設けられた構成であることを特徴とするデータ記録再生装置。
【請求項２】
非同期転送データと、同期転送データを同時に送る転送方式を介してホストと接続されているデータ記録再生装置であって、非同期転送データ（１１）と、あるいは同期転送データ（１０）のどちらを転送するかをデップスイッチ等の機械的なもの、あるいはレジスタのようなソフトウエアの設定によるもの、あるいはインターフェースを介した設定によるもののように選択可能に設けられている構成であることを特徴とする請求項１記載のデータ記録再生装置。
【請求項３】
非同期転送データと、同期転送データを同時に送る転送方式を介してホストと接続されているデータ記録再生装置であって、データ記録再生装置（１００）で記録再生されるメディア（記録媒体）は、非同期転送データ（１１）と、同期転送データ（１０）の２のデータを１つのデータブロック（２１０）に記録保持するためのデータフォーマットは、同期用の信号（１８）と、ヘッダーデータ（１７）と、非同期転送データ（１１）と、同期転送データ（１０）と、ＥＤＣ（２１１）と、ＥＣＣ（２１２）等として設けられた構成であることを特徴とする請求項１ないし２記載の記録媒体。
【請求項４】
非同期転送データと、同期転送データを同時に送る転送方式を介してホストと接続されているデータ記録再生装置であって、データ記録再生装置（１００）で記録再生されるメディア（記録媒体）は、非同期転送データ（１１）と、同期転送データ（１０）の２つのデータを１つのデータブロック（１１０）に記録保持するためのデータフォーマットは、同期用の信号１８と、ヘッダーデータ（１７）と、１つの非同期転送データ（１１）と、ＥＤＣ（１０１）と、ＥＣＣ（１０２）と、もう１つの同期転送データ（１０）と、ＥＤＣ（２１１）と、ＥＣＣ（２１２）等として設けられた構成であることを特徴とする請求項１ないし３記載の記録媒体。
【請求項５】
非同期転送データと、同期転送データを同時に送る転送方式を介してホストと接続されているデータ記録再生装置であって、データ記録再生装置（１００）で記録再生されるメディアは、非同期転送データ（１１）と、同期転送データ（１０）等の２つのデータで構成され、該２つのデータを１つのデータブロック単位で区切られて記録されるように設けられた構成であることを特徴とする請求項１ないし４記載の記録媒体。
【請求項６】
非同期転送データと、同期転送データを同時に送る転送方式を介してホストと接続されているデータ記録再生装置であって、データ記録再生装置１００で記録再生されるメディアのデータフォーマットは、非同期転送データ（１１）と、同期転送データ（１０）等の２つのデータを１つのデータブロック単位として区切られて記録され、該記録される非同期転送データ（１１）は、同期転送データ（１０）より前方に配置されるように設けられた構成であることを特徴とする請求項１ないし５記載の記録媒体。
【請求項７】
非同期転送データと、同期転送データを同時に送る転送方式を介してホストと接続されているデータ記録再生装置であって、２ヘッド方式のデータ記録再生装置で記録再生するメディアに記録保持するデータブロックの位置は、メディア（４０１）の中心から同期転送データエリア（４０２）と、非同期転送データエリア（４０３）の２つの記録エリアに分離して設けられ、該分離された同期転送データエリア（４０２）と、非同期転送データエリア（４０３）に対応するデータブロックはメディア（４０１）の中心に対して一定の角度を有して設けられた構成であることを特徴とする請求項１ないし６記載の記録媒体。
【発明の詳細な説明】
【発明の属する技術分野】
【０００１】
【発明の属する技術分野】
本発明は、情報を記録再生する機能を有する装置のデータ転送方式であって、詳しくは、情報記録再生装置（以下：データ記録再生装置と称する）からデータの読み出し時に非同期転送方式でデータを転送する際、同じパケットに同期転送で別のデータを同時に転送することができるデータ記録再生装置と、同期転送で送出するデータがメディア内の同じデータブロックに記録されている記録媒体等に関する。
【０００２】
【従来の技術】
従来からコンピュータで用いられているストレージ系のインタフェースは、ＳＣＳＩ（ｓｍａｌ  ｃｏｍｐｕｔｅｒ  ｓｙｓｔｅｍ  ｉｎｔｒｅｆａｃｅ）、ＡＴＡＰＩ、ＡＴＡ（ＡＴ  Ａｔｔａｃｈｍｅｎｔ）等すべて非同期転送を用いてホスト・デバイス間のデータ転送が行われてきた。これは、非同期転送を使うことによりホスト・デバイス間のデータの受け渡しが確実になるためである。
【０００３】
また、一方、シリアルインターフェイス系では以上のような非同期転送方式だけでなく、同期転送方式もデータの転送に使用することができる。この転送方式の場合、データのホスト・デバイス間の受け渡しに確実性は無くなるが「同時性」を実現することができる。一般に、同期転送方式を使う場合は、データの同時性を実現したいアプリケーションに適していると言われている。
【０００４】
また、一方、一般にシリアルインターフェイス系ではパケットというデータの区分毎にデータの転送が行われるが、１つのパケットは非同期転送と同期転送で構成される。したがって、シリアルインタフェーイスを使用するストレージ系装置の場合、上記記載の２つの方式のどちらか一方を選択してデータの転送を行うことになる。
【０００５】
【特許文献１】
再公表特許Ｗ０９７／０１９２８では、非同期伝送モードのみを使用してデーダの伝送を実現している。
【０００６】
【非特許文献１】
劇場あるいは、家庭で楽しむエンターテイメントで「超リアル感」を体験させる方向へ進んでいる。文献ＮＩＫＫＥＩ  ＥＬＥＣＴＲＮＩＣＳ  ２００２．１２．１６、１１４頁〜１２１頁。
【０００７】
図８は、ＩＥＥＥ１３９４インターフェースにおける非同期転送のみを使用しデータの読み出しを実行しているときの概念図を示す。
同期転送とはサイクル・スタート・バケットに続くあらかじめ確保された時間の間にデータが転送される方式のことを言う。トーカ（データの送信元）はリスナ（データの受信先）との間にあらかじめある帯域を確保してデータを転送するので、映像や音声などのリアルタイムデータを転送する用途に用いられている。
アイソクロナス・サイクルとはサイクルスタート信号で送信をはじめ、サブアクション・ギャップの検出で終わるバスの動作モードの１つのことである。アイソクロナスギャップは平均１２５μｓごとに繰り返される。優先順位は、非同期よりもアイソクロナスの方が上であるため、アイソクロナス転送が行われている時間帯には、非同期転送は入り込めない。
【０００８】
データ記録再生装置１００はＩＥＥＥ１３９４インターフェイスを利用（以下：ＩＥＥＥ１３９４バスを介して、と称する）してホスト２００と接続されている。ＩＥＥＥ１３９４バス上を流れる１つのパケットデータ１９は周期的に繰り返されるメディア上のデータの塊（以下：データブロックと称する）であるが、その中身は未使用の同期データ９とデータ使用の非同期データ１１の２つの成分で構成されている。通常のデータ転送時は１つのパケットデータ１９に対して、非同期転送か、同期転送のどちらか一方しか使わない。この場合は、例えば、ムービー再生時ホスト２００側が得られるデータ・ストリームは１本だけで大変効率の悪い使用である。
【０００９】
図９は、従来のＣＤ−ＲＯＭ  Ｍｏｄｅ２のフォーマットの構成を示す図である。
図９の記号を説明すると、１９０は、データブロックと、１８は、同期用の信号：Ｓｙｎｃと、１７は、ヘッダーデータ：Ｈｅａｄｅｒと、１６は、データの中身：Ｄａｔａと、１５は、ＥＤＣ：Ｅｎｄ  ｏｆ  Ｃｏｄｅと、１４は、ＥＣＣ：Ｅｒｒｏｒ  ｃｏｌｌｅｃｔｉｏｎ  ｃｏｄｅと、１１は、非同期データと同期データを分別していないデータ等である。ＣＤやＭＤは１６ビットのデジタル信号をビット列で記録している。１６ビットのデータをそのままダイレクトに記録すると、場合によって「１」や「０」のビットが１６個連続することがあることになる。ＣＤやＭＤはピットの凹凸のを見ながらピックアップがトレースし、ディクスの回転数をコントロールしているが、凹凸の部分が長くなりすぎるとピックアップが正確にトレースすることができなくなるため適当な間隔で凹凸が並ぶようにモジュレーションがかけてある。
【００１０】
「１」と「１」の間にある「０」の数を最低２個と、最大１０個と決め１６ビットの信号を８ビットずつ２つに分け、その８ビットを１４ビットに変換する８−１４モジューレーション  ＥＦＭ：Ｅｉｇｈｔ  ｔｏ  ｆｏｕｒｔｅｅｎ  ｍｏｄｕｌａｔｉｏｎと言う手法が従来のＣＤ−ＲＯＭでは使われている。一方、誤り訂正はクロス・インターリーブ・リードソロモン・コード（ＣＩＲＣ）という方式が採用されている。ＣＤ−ＲＯＭのフォーマットは上記のような過程を経てデータのデーコードがなされるわけであるが、図９から明らかなように従来の技術では非同期データと同期データを分別してメディア上に記録しておくという方式がなかった。
【００１１】
上記記載のフォーマットを見ると明らかなように、従来データは、該データの転送方式とメディアのフォーマット方式の間には強い相関関係は無いのである。
メディア上のデータは装置側が、同期転送方式を使うか、非同期転送方式を使うか全く意識していないので、データ部には非同期転送用データ、あるいは同期転送用データの区別がなかった。
【００１２】
【発明が解決しようとする課題】
上述記載の従来技術、データ記録再生装置とＩＥＥＥ１３９４バスを介してホストと接続されていて例えば、デーダ記録メディアからムービーのようなデータを非同期転送で再生する場合は、データ・ストリームは１本だけである。データ・ストリームが１本だけであるため、そのムービーに同期した形で何か別の機能を付け加えることができなかった。例えば、ムービーを再生させて「超リアル感」を得ようとする場合「花」のムービーを再生して「花」の画面が大写しされたとき、その「花」の香りを具現化できるように大写しに同期して、事前に準備された香り発生装置を触発させ香りを放つこと、また、風に木立が揺れているムービーの再生では、ムービーに同期して事前に準備された扇風機を駆動させる等必要なタイミングを得る手段が無かった。
【００１３】
本発明は、以上のような従来の欠点に鑑み、データ記録再生装置からデータの読み出し時に非同期転送方式でデータを転送する際、同じパケットに同期転送で別のデータを同時に転送することができるデータ記録再生装置と、非同期転送時に同期転送データを同時に転送することができるかできないかを装置側でハード的にもしくは、ソフト的にもしくは、インターフェースを介して設定できるデータ記録再生装置と、非同期転送で送出するデータと、同期転送で送出するデータがメディア内の同じデータブロックに記録される記録媒体と、非同期転送で送出するデータと、そのデータに対応した同期転送データがディスクに記録されているとき、両者は、ある一定角度を有した別々の位置に記録されている記録媒体と、非同期転送用のデータと同期転送用のデータは記録媒体上で分離可能であり、個別に記録と再生が可能であるデータ記録再生装置等の構成よりなるデータ記録再生装置及び記録媒体を提供することを目的としている。
【００１４】
【発明を解決するための手段】
即ち、上記目的を達成するためになされた請求項１記載の本発明では、非同期転送データと、同期転送データを同時に送る転送方式であるＵＳＢあるいはＩＥＥＥ１３９４バスを介してホストと接続されているデータ記録再生装置であって、データの読み出し時に非同期転送方式でデータを転送するデータ記録再生装置１００は、メディア（記録媒体）のデータブロック２１０を転送命令に従い読み込みデーター記録再生装置１００内のバッファーに一時的に格納する。バッファーに一時的に格納された非同期転送データ１１と、同期転送データ１０等のデータの再分割処理が行われる。再分割処理された非同期転送データ１１と、同期転送データ１０等は、ＩＥＥＥ１３９４バス３０上を流れる１つのパケットデータ２０の非同期転送データ１１と、同期転送データ１０の２つのデーターを、１つのパケットデータ２０として同時に送出される。該パケットデータ２０を順次受け取るホスト２００は、１つのパケットデータ２０毎に同時処理するように設けられているので、データ記録再生装置で記録再生するメデイアは、メディア上に非同期転送データ１１と、同期転送データ１０等が同じデータブロックに格納されており、データの記録再生時には非同期データ１１と、同期転送データ１０等を同時に使用してデータの転送を行うように設けられた構成のデータ記録再生装置である。
【００１５】
また、請求項２記載の発明では、請求項１記載の非同期転送データと、同期転送データを同時に送る転送方式であるＵＳＢあるいはＩＥＥＥ１３９４バスを介してホストと接続されているデータ記録再生装置であって、データ記録再生装置１００のバッファーに一時的に格納され、データの再分割を行う際、非同期転送データ１１と、あるいは同期転送データ１０を転送しない命令を設定すると、命令に従い指示されな転送分のデータ転送は行われないように設けられ、転送分のデータを転送するしないの命令は、デップスイッチ等の機構的な設定と、もしくはレジスタのようなソフトウエア設定の設定によるもの、あるいはインタフェースを介した設定によるもののように選択可能に設けられた構成のデータ記録再生装置である。
【００１６】
また、請求項３記載の発明では、請求項１ないし２記載の非同期転送データと、同期転送データを同時に送る転送方式であるＵＳＢあるいはＩＥＥＥ１３９４バスを介してホストと接続されているデータ記録再生装置であって、データ記録再生装置１００で記録再生されるメディア（記録媒体）は、非同期転送データ１１と、同期転送データ１０の２つのデータを１つのデータブロック２１０に記録保持するためのデータフォーマットは、同期用の信号（Ｓｙｎｃ）１８と、ヘッダーデータ（Ｈｅａｄｅｒ）１７と、非同期転送データ１１と、同期転送データ１０と、ＥＤＣ２１１と、ＥＣＣ２１２等としたように設けられた構成の記録媒体である。
【００１７】
また、請求項４記載の発明では、請求項１ないし３記載の非同期転送データと、同期転送データを同時に送る転送方式であるＵＳＢあるいはＩＥＥＥ１３９４バスを介してホストと接続されているデータ記録再生装置であって、データ記録再生装置１００で記録再生されるメディア（記録媒体）は、非同期転送データ１１と、同期転送データ１０の２つのデータを１つのデータブロック１１０に記録保持するためのデータフォーマットは、同期用の信号（Ｓｙｎｃ）１８と、ヘッダーデータ（Ｈｅａｄｅｒ）１７と、１つの非同期転送データ１１と、ＥＤＣ１０１と、ＥＣＣ１０２と、もう１つの同期転送データ１０と、ＥＤＣ２１１と、ＥＣＣ２１２等とするように設けられた構成の記録媒体である。
【００１８】
また、請求項５記載の発明では、請求項１ないし４記載の非同期転送データと、同期転送データを同時に送る転送方式であるＵＳＢあるいはＩＥＥＥ１３９４バスを介してホストと接続されているデータ記録再生装置であって、データ記録再生装置１００で記録再生されるメディア（記録媒体）は、非同期転送データ１１と、同期転送データ１０等の２つのデータで構成される。該２つのデータを１つのデータブロック単位で区切られて記録されるように設けられた構成の記録媒体である。
【００１９】
また、請求項６記載の発明では、請求項１ないし５記載の記録媒体は、非同期転送データ１１と、同期転送データ１０等の２つのデータを１つのデータブロック単位として区切られて記録されるデータフォーマットは、非同期転送データ１１が同期転送データ１０より前方に配置されるように設けられた構成の記録媒体である。
【００２０】
また、請求項７記載の発明では、請求項１ないし６記載の記録媒体は、非同期転送データと、同期転送データを同時に送る転送方式であるＵＳＢあるいはＩＥＥＥ１３９４バスを介してホストと接続されているデータ記録再生装置であって、２ヘッド方式データ記録再生装置で記録再生するメディアの記録保持するデータブロックの位置は、メディア４０１の中心から同期転送データエリア４０２と、非同期転送データエリア４０３の二つの記録エリアにに分離して設けられる。２つの記録エリアに分離されるデータブロックの、同期転送データ１０の＃ｎ＋２と、＃ｎ＋１と、＃ｎ等は、同期転送エリア４０２へ、もう一方の非同期転送データ１１の＃ｎと、＃ｎ＋１と、＃ｎ＋２等は、非同期転送エリア４０３へ設けられる。分離されたデータエリアに対応するデータブロックはメディアの中心に対して一定の角度を有して設けられた構成である。２つの記録エリアには、同じ番号の物理番号アドレスが同期転送データエリア４０３と、非同期転送データエリア４０２に存在する。２つの記録エリアに存在する物理アドレス番号に対応するデータブロックのメディア内に記録保持される角度が常に一定であるようにメディアのデータフォーマットの設計によってデータブロックの非同期転送データ１１と、同期転送データ１０は、同じ＃ｎというセクタ番号と物理的に一直線上に配置されているため、両者の作る角度は１８０度の角度を持って配置されるように設けられた構成の記録媒体である。
【００２１】
【発明の実施の形態】
以下、図面に示す実施の形態により、本発明を詳細に説明する。
【００２２】
説明に当たって、以下に示す記録媒体（以下：メディアと称する）は、非同期転送データと、同期転送データが一つのデータブロックに記録されているメディアフォーマットにおいて、使用されているメディアは、ＣＤ−ＲＯＭと、あるいはＤＶＤと、またはＢｌｕｅ−ｒａｙディスクである。また、データ記録再生装置は、非同期転送データと、同期転送データを同時に送る転送方式において、ＩＥＥＥ１３９４またはＵＳＢでホストと接続されている。該説明では例として、ＩＥＥＥ１３９４を例として用いることにする。
【００２３】
図１は、本発明による１パケットデータの概念図を示す。
ＩＥＥＥ１３９４バス３０を介してホスト２００と接続されているデータ記録再生装置１００からは、１つのパケットデータ２０に同期転送データ１０と、非同期転送データ１１の２つのデーターを同時に送出している。結果として、ホスト２００では２本のデータ・ストリームが得られる。２本のデータ・ストリームは、ＩＥＥＥ１３９４バス３０上で非同期転送データ１１と、同期転送データ１０が完全に対応づけされている。関連ずけられた２本のデータ・ストリームと、同期転送データ１０と、非同期転送データ１１等と対応づけされた１つのパケットデータ２０に、２つのデータを同期させることができるアプリケーション等によって、２つのデータをホスト２００が同時に処理できる。１つのパケットデータ２０に非同期転送データ１１と、同期転送データ１０を同時に用意するため、メディア（記録媒体）内の１つのセクタに両方のデータを記録保持する。
【００２４】
図２は、非同期転送データと、同期転送データの２つのデータを１つのデータブロックに保持するメディア構成を示す。
従来のデータフォーマット（図８）との比較で明らかなようにデータ部を非同期転送用と同期転送用とに分離した構成である。
非同期転送データ１１と、同期転送データ１０の２つのデータを１つのデータブロック２１０に記録保持するために、データブロック２１０のデータフォーマットは、同期用の信号（Ｓｙｎｃ）１８と、ヘッダーデータ（Ｈｅａｄｅｒ）１７等は従来の構成と変わらない。Ｄａｔａ部として非同期転送データ１１と同期転送データ１０を２つで１つのデータとして構成する。非同期転送データ１１と同期転送データ１０に対して、まとめる形でＥＤＣ２１１とＥＣＣ２１２等を設ける。
【００２５】
データブロック２１０のデータフォーマットは、同期用の信号（Ｓｙｎｃ）１８と、ヘッダーデータ（Ｈｅａｄｅｒ）１７と、非同期転送データ１１と、同期転送データ１０と、ＥＤＣ２１１とＥＣＣ２１２等の構成に設けることで非同期転送データ１１と、同期転送データ１０の２つのデータを１つのデータブロックとして保持できる。
【００２６】
図４は、データ転送方式を示す図である。
メディア３００の３つのテータブロック分に転送する命令が来たときのデータの流れを示すと、３つのテータブロック分は、デーダブロック２０１と、２０２と、２０３等である。デーダブロック２０１のデータフォーマットは、同期用の信号（Ｓｙｎｃ）１８と、ヘッダーデータ（Ｈｅａｄｅｒ）１７と、非同期転送データ１１の＃ｎと、同期転送データ１０の＃ｎと、ＥＤＣ２１１と、ＥＣＣ２１２等の構成である。デーダブロック２０２のデータフォーマットは、同期用の信号（Ｓｙｎｃ）１８と、ヘッダーデータ（Ｈｅａｄｅｒ）１７と、非同期転送データ１１の＃ｎ＋１と、同期転送データ１０の＃ｎ＋１と、ＥＤＣ２１１と、ＥＣＣ２１２等の構成である。デーダブロック２０３のデータフォーマットは、同期用の信号（Ｓｙｎｃ）１８と、ヘッダーデータ（Ｈｅａｄｅｒ）１７と、非同期転送データ１１の＃ｎ＋２と、同期転送データ１０の＃ｎ＋２と、ＥＤＣ２１１と、ＥＣＣ２１２等の構成である。
【００２７】
ＩＥＥＥ１３９４バス３０を介してホスト２００と接続されているデータ記録再生装置１００において、メディアＣＤ−ＲＯＭ３００の記録再生するデータ記録再生装置１００は、データブロック２０１と、２０１と、２０３までを読み込みデーター記録再生装置１００内のバッファーに一時的に格納する。次に、バッファーに格納された非同期転送データ１１のｎ＋（ｎ＋１）＋（ｎ＋２）と、同期転送データ１０のｎ＋（ｎ＋１）＋（ｎ＋２）は、データの再分割が行われる。
ＩＥＥＥ１３９４バス３０上を流れる１つのパケットデータ毎に非同期転送データと、同期転送データの２つのデーターを同時に送出する。非同期転送データ１１のｎと、同期転送データ１０のｎとを１つのパケットデータ４０と、非同期転送データ１１のｎ＋１と、同期転送データ１０のｎ＋１とを１つのパケットデータ５０と、非同期転送データ１１のｎ＋２と、同期転送データ１０のｎ＋２とを１つのパケットデータ６０として順次送出する。  該パケットデータ４０と、５０と、６０とを順次受け取るホスト２００は、１つのパケットデータ毎に非同期転送データ１１と、同期転送データ１０が同時処理されるのでデータ・ストリームは２本となる。
【００２８】
データの再分割を行う際、非同期転送分のデータあるいは、同期転送分のデータを転送しない命令を設定すると、命令に従い指示された転送分のデータ転送は行われない。転送分のデータを転送するしないの命令は、デップスイッチ等の機構的な設定と、もしくはレジスタの設定によるソフトウエアと、もしくはインタフェースを介して設定できる構成に設けた。
【００２９】
図５は、１ヘッド方式のデータ記録再生装置のブロックダイアグラムを示した図である。
ＣＤ−ＲＯＭ３００は、データブロック２１０のフォーマットに従って非同期転送データと、同期転送データを読み込まれているとき、ＣＤ−ＲＯＭ３００の記録を再生するデータ記録再生装置の構成は、ＣＤ−ＲＯＭ３００を乗せるスピンドルモータと、ＣＤ−ＲＯＭの書き込み読み出しを行う光ピックアップと、光学ヘッドモータと、サーボコントローラと、ＲＦアンプと、アドレスデコーダと、ＥＦＭ／ＣＩＲＣエンコーダと、ＲＡＭコントローラと、ＤＲＡＭと、エジェクトスイッチと、全体を制御するシステム制御等の構成であって従来と変わらない装置９０である。本発明は該装置９０に、１つのパケットデータ毎に非同期データと、同期データを同時処理できるようにシリアルホストインターフェースであるＩＥＥＥ１３９４コントローラ４００を組み合わせて設ける構成である。
【００３０】
また、ＩＥＥＥ１３９４以外のシリアルインターフェースを使用する場合は、ＩＥＥＥ１３９４コントローラ４００を交換することで対応させる。
【００３１】
【発明の異なる実施の形態】
次に図３と図６と図７に示す本発明の異なる実施の形態につき説明する。なお、これらの本発明の異なる実施の形態の説明に当たって、前記本発明の第１の実施の形態と同一構成部分には同一の符号を付して重複する説明を省略する。
【００３２】
図３の本発明の第２の実施の形態において、前記本発明の第１の実施の形態と主に異なる点は次の通りである。
図３は、非同期転送データと、同期転送データの２つのデータを１つのデータブロックに記録保持するメディア構成を示す。
データブロック１１０は、非同期転送データ１１と、同期転送データ１０と、２つのデータを１つのデータブロック１１０に記録保持される。データブロック１１０のデータフォーマットは、同期用の信号（Ｓｙｎｃ）１８と、ヘッダーデータ（Ｈｅａｄｅｒ）１７は従来の構成と変わらないが、Ｄａｔａ部として非同期転送データ１１と、同期転送データ１０は、１つのデータ非同期転送データ１１と、ＥＤＣ１０１と、ＥＣＣ１０２との構成と、もう１つの同期転送データ１０と、ＥＤＣ１１１と、ＥＣＣ１１２等の構成に設けられる。図３で示すようなデータフォーマットの構成に設けることで非同期転送データ１１と、同期転送データ１０の２つのデータを１つのデータブロック１１０として記録保持できる。
【００３３】
データ転送の際のデーダブロックを例えば、３ブロック分転送する命令が来たときのデータの流れを示すと、３ブロック分は、デーダブロック１２１と、１２２２と、１２３等であるとすると、デーダブロック１２１のデータフォーマットは、同期用の信号（Ｓｙｎｃ）１８と、ヘッダーデータ（Ｈｅａｄｅｒ）１７と、非同期転送データ１１の＃ｎと、ＥＤＣ１０１と、ＥＣＣ１０２と、同期転送データ１０の＃ｎと、ＥＤＣ１１１と、ＥＣＣ１１１等の構成である。デーダブロック１２２のデータフォーマットは、同期用の信号（Ｓｙｎｃ）１８と、ヘッダーデータ（Ｈｅａｄｅｒ）１７と、非同期転送データ１１の＃ｎ＋１と、ＥＤＣ１０１と、ＥＣＣ１０２と、同期転送データ１０の＃ｎ＋１と、ＥＤＣ１１１と、ＥＣＣ１１２等の構成である。デーダブロック１２３のデータフォーマットは、同期用の信号（Ｓｙｎｃ）１８と、ヘッダーデータ（Ｈｅａｄｅｒ）１７と、非同期転送データ１１の＃ｎ＋２と、ＥＤＣ１０１と、ＥＣＣ１０２と、同期転送データ１０の＃ｎ＋２と、ＥＤＣ１１１と、ＥＣＣ１１２等の構成である。
【００３４】
ＩＥＥＥ１３９４バス３０を介してホスト２００と接続されているデータ記録再生装置１００において、ＣＤ−ＲＯＭ３０１の記録を再生するデータ記録再生装置１００は、データブロック１２１と、１２２と、１２３までを読み込みデーター記録再生装置１００内のバッファーに一時的に格納する。次に、バッファーに格納された非同期転送データ１１のｎ＋（ｎ＋１）＋（ｎ＋２）と、同期転送データ１０のｎ＋（ｎ＋１）＋（ｎ＋２）は、データの再分割が行われる。ＩＥＥＥ１３９４バス３０上を流れる１つのパケットデータ毎に非同期転送データ１１と、同期転送データ１０の２つのデーターを同時に送出する。非同期転送データ１１のｎと、同期転送データ１０のｎとを１つのパケットデータ４０と、非同期転送データ１１のｎ＋１と、同期転送データ１０のｎ＋１とを１つのパケットデータ５０と、非同期転送データ１１のｎ＋２と、同期転送データ１０のｎ＋２とを１つのパケットデータ６０として送出する。パケットデータ４０と、５０と、６０とを順次受け取るホスト２００は、１つのパケットデータ毎に非同期転送データ１１と、同期転送データ１０等を同時処理されるのでデータ・ストリームは２本となる。
【００３５】
データの再分割を行う際、非同期転送分のデータあるいは、同期転送分のデータを転送しない命令を設定すると、命令に従い指示された転送分のデータ転送は行われない。転送分のデータを転送するしないの命令は、デップスイッチ等の機構的な設定と、もしくはレジスタの設定によるソフトウエアと、もしくはインタフェースを介して設定できる等を設けた構成である。
【００３６】
図６ないし図７の本発明の第３の実施の形態において、前記本発明の第１の実施の形態と主に異なる点は次の通りである。
図６は、メディアに記録保持するデータブロックの位置を示した図である。
２ヘッド方式で記録再生するメディアの記録保持するデータブロックの位置をメディアとしてＣＤ−ＲＯＭ４０１を例として説明する。ＣＤ−ＲＯＭ０１の中心から同期転送データエリア４０２と、非同期転送データエリア４０３として２つの記録領域に分離して設ける。２つの記録領域に分離されるデータブロックの同期転送データ１０は＃ｎ＋２と、＃ｎ＋１と、＃ｎ等は、同期転送データエリア４０３に、非同期転送データ１１は、＃ｎと、＃ｎ＋１と、＃ｎ＋２等は、非同期転送データエリア４０２に一定の角度を持って記録保持される。同じ番号の物理番号アドレスが同期転送データエリア４０３と、非同期転送データエリア４０２に存在する。
【００３７】
また、２つの記録領域に分離されるデータブロックは、同じ番号の物理番号アドレスが同期転送データエリア４０３と、非同期転送データエリア４０２に存在する。２つの記録領域に存在する物理アドレス番号に対応するデータブロックのメディア内に記録保持される角度が常に一定であるようにメディアのフォーマットの設計がされる。例えば、データブロック１１０の非同期転送データ１１と、同期転送データ１０は、同じ＃ｎというセクタ番号は物理的に一直線上に配置されているため、両者の作る角度は１８０度の角度を持って配置されている構成に設けられる。
【００３８】
メディア４０１のデーダブロックを例えば、３ブロック分転送する命令が来たときのデータの流れを示す。非同期転送データエリア４０２の３ブロック分は、デーダブロック４２１と、４２２と、４２３等と、同期転送データエリア４０３の３ブロック分は、デーダブロック４３１と、４３２と、４３３等までを読み込みデータ記録再生装置１００内のバッファーに一時的に格納する。
【００３９】
デーダブロック４２１のデータフォーマットは、同期用の信号（Ｓｙｎｃ）１８と、ヘッダーデータ（Ｈｅａｄｅｒ）１７と、非同期転送データ１１の＃ｎと、ＥＤＣ１０１と、ＥＣＣ１０２等の構成である。デーダブロック４２２のデータフォーマットは、同期用の信号（Ｓｙｎｃ）１８と、ヘッダーデータ（Ｈｅａｄｅｒ）１７と、非同期転送データ１１の＃ｎ＋１と、ＥＤＣ１０１と、ＥＣＣ１０２等の構成である。  デーダブロック４２３のデータフォーマットは、同期用の信号（Ｓｙｎｃ）１８と、ヘッダーデータ（Ｈｅａｄｅｒ）１７と、非同期転送データ＃１１のｎ＋２と、ＥＤＣ１０１と、ＥＣＣ１０２等の構成である。
【００４０】
デーダブロック４３１のデータフォーマットは、同期用の信号（Ｓｙｎｃ）１８と、ヘッダーデータ（Ｈｅａｄｅｒ）１７と、同期転送データ１０の＃ｎと、ＥＤＣ１１１と、ＥＣＣ１１２等の構成である。デーダブロック４３２のデータフォーマットは、同期用の信号（Ｓｙｎｃ）１８と、ヘッダーデータ（Ｈｅａｄｅｒ）１７と、同期転送データ１０の＃ｎ＋１と、ＥＤＣ１１１と、ＥＣＣ１１２等の構成である。デーダブロック４３３のデータフォーマットは、同期用の信号（Ｓｙｎｃ）１８と、ヘッダーデータ（Ｈｅａｄｅｒ）１７と、同期転送データ１０の＃ｎ＋２と、ＥＤＣ１１１と、ＥＣＣ１１２等の構成である。
【００４１】
バッファー１０１に格納された非同期転送データ１１のｎ＋（ｎ＋１）＋（ｎ＋２）と、同期転送データ１０のｎ＋（ｎ＋１）＋（ｎ＋２）は、データの再分割が行われる。ＩＥＥＥ１３９４バス３０上を流れる１つのパケットデータ毎に非同期転送データ１１と、同期転送データ１０の２つのデーターを同時に送出する。非同期転送データ１１のｎと、同期転送データ１０のｎとを１つのパケットデータ４１と、非同期転送データ１１のｎ＋１と、同期転送データ１０のｎ＋１とを１つのパケットデータ５１と、非同期転送データ１１のｎ＋２と、同期転送データ１０のｎ＋２とを１つのパケットデータ６１として順次送出する。パケットデータ４１と、５１と、６１とを順次受け取るホスト２００は、１つのパケットデータ毎に非同期転送データ１１と、同期転送データ１０等を同時処理されるのでデータ・ストリームは２本となる。
【００４２】
図７は、２ヘッド方式のデータ記録再生装置のブロックダイアグラムを示した図である。
メディアとしてＣＤ−ＲＯＭ４０１を例として説明する。ＣＤ−ＲＯＭ４０１の中心から同期転送データエリア４０２と、非同期転送データエリア４０３として、２つの記録領域に分離してデータブロック４２１，４２２、４２３、４３１、４３２、４３３が設けられてる。ＣＤ−ＲＯＭ４０１のデータ記録を再生する２ヘッド方式のデータ記録再生装置の構成は、ＣＤ−ＲＯＭ４０１を乗せるスピンドルモータと、ＣＤ−ＲＯＭ４０１のデータ記録再生を行う２個所の光ピックアップと、２個所の光学ヘッドモータを設け、サーボコントローラと、２個所のＲＦアンプと、２箇所のアドレスデコーダと、２個所のＥＦＭ／ＣＩＲＣエンコーダと、ＲＡＭコントローラと、ＤＲＡＭと、エジェクトスイッチと、全体を制御するシステム制御等を設けられた構成に、１つのパケットデータ毎に非同期データと、同期データを同時処理できるようにシリアルホストインターフェースであるＩＥＥＥ１３９４コントローラ４００を組み合わせて設ける。
【００４３】
【発明の効果】
本発明は、以上説明したような形態で実施され、以下に記載されるような効果を奏する。
【００４４】
非同期転送データと、同期転送データを同時に送る転送方式を介してホストと接続されているデータ記録再生装置であって、データ記録再生装置で記録再生するメディアは、メディア上に非同期転送データと、同期転送データ等が同じデータブロックに格納されており、データの記録再生時には非同期データと、同期転送データ等を同時に使用してデータの転送を行うように設けられた構成であるのでデータ・ストリームを２本得ることができる。また、データ・ストリームを２本を用いてムービーを再生させて「超リアル感」を得る手段を確保することができる。デーダ記録メディアからムービーのようなデータを再生する場合は、データ・ストリームが２本となるため、そのムービーに同期した形で何か別の機能を付け加えることができるようになった。例えば、ムービーを再生させて「超リアル感」を得ようとする場合「花」のムービーを再生して「花」の画面が大写しされたとき、その「花」の香りを具現化できるように大写しに同期して、事前に準備された香り発生装置を触発させ香りを放つこと、また、風に木立が揺れているムービーの再生では、ムービーに同期して事前に準備された扇風機を駆動させる等必要なタイミングを得る手段を得ることが出来る。
【図面の簡単な説明】
【図１】本発明によるＩＥＥＥ１３９４インターフェース上の１パケツトデータの概念図を示した図である。
【図２】本発明による非同期転送データと、同期転送データの２つのデータを１つのデータブロックに記録保持するメディア構成を示した図である。
【図３】本発明による非同期転送データと、同期転送データの２つのデータを１つのデータブロックに記録保持するメディア構成を示した図である。
【図４】本発明のデータ転送方式を示した図である。
【図５】本発明による１ヘッド方式のデータ記録再生装置のブロックダイアグラムを示した図である。
【図６】本発明によるメディアに記録保持するデータブロックの位置を示した図である。
【図７】本発明による２ヘッド方式のデータ記録再生装置のブロックダイアグラムを示した図である。
【図８】従来ＩＥＥＥ１３９４インターフェースにおける非同期転送のみを使用しデーダの読み出しを実行しているときの概念図を示した図である。
【図９】従来のＣＤ−ＲＯＭ  Ｍｏｄｅ２のフォーマットの構成を示した図である。
【符号の説明】
１０  同期転送データ
１１  非同期転送データ
１７  ヘッダーデータ（Ｈｅａｄｅｒ）
１８  同期用の信号（Ｓｙｎｃ）
２０  パケットデータ
３０  ＩＥＥＥ１３９４バス
１００  データ記録再生装置
１０１  ＥＤＣ
１０２  ＥＣＣ
１１０  データブロック
２００  ホスト
２１０  データブロック
２１１  ＥＤＣ
２１２  ＥＣＣ
３００  ＣＤ−ＲＯＭ
４００  ＩＥＥＥ１３９４コントローラ
４０１  ＣＤ−ＲＯＭ
４０２  同期転送データエリア
４０３  非同期転送データエリア
【図１】
2004259419.tif 000003
【図２】
2004259419.tif 000004
【図３】
2004259419.tif 000005
【図４】
2004259419.tif 000006
【図５】
2004259419.tif 000007
【図６】
2004259419.tif 000008
【図７】
2004259419.tif 000009
【図８】
2004259419.tif 000010
【図９】
2004259419.tif 000011